(57)【要約】【課題】  鉄塔上で電線を短絡するジャンパに必要な長さを予め把握するための、コンピュータ用計算プログラムを提供すること。【解決手段】  施工条件データを入力させる入力フォームを表示装置に出力するステップ、施工条件データに基づいて最終的に支持なしジャンパ装置のジャンパソケット出口の座標を算出するステップと、予め記憶装置に保存された施工条件を反映させる前の分割ジャンパの標準の模擬曲線の形を表す座標式に対して、その座標式の各係数に補正係数用テーブルから抽出した結果を代入して施工条件を反映させ、施工条件を反映させた模擬座標式に基づいて分割ジャンパの長さを算出するステップと、二つの分割ジャンパの長さと、ジャンパ両端部のジャンパソケットへの挿入分の長さの合計値を算出し、その算出結果を表示装置に表示するステップを実行させるための支持なしジャンパ装置のジャンパ実長計算プログラム。【選択図】      図１７
2005237116.tif 000002
【特許請求の範囲】
【請求項１】
２本の電線を短絡する１本のジャンパ（４）と、ジャンパの両端部に取り付けるジャンパソケット（１５）からなり、そのジャンパソケットを鉄塔アーム（１）の横幅方向両側から別々に延びるがいし装置（５）に固定し、ジャンパを両端部以外では支持しない支持なしジャンパ装置（２）において、ジャンパを、２つのジャンパソケットへの挿入分と、２つのジャンパソケット間を繋ぐ分に計算上、分けると共に、２つのジャンパソケット間を繋ぐ分を、アームの中心点を境にしてアーム横幅方向であるｘ軸方向に計算上、二分し、それら分割ジャンパと、各挿入分との合計によってジャンパの実長を算出するためにコンピュータに、
線路条件・気象条件・電線条件・がいし装置条件・支持なしジャンパ装置条件からなる施工条件データを入力させる入力フォーム（２５〜２９）を表示装置（１７）に出力するステップ（Ｓ１）と、  入力装置（１６）から入力された施工条件データを記憶装置（２０）に保存すると共に支持なしジャンパ装置条件のジャンパ深さをジャンパ最下点のｚ座標データに設定するステップ（Ｓ３）と、  施工条件データに基づいて電線の施工時張力を算出するステップ（Ｓ４．１）と、  施工条件データと施工時張力に基づいてがいし連カテナリ角（α）を算出するステップ（Ｓ４．２）と、施工条件データと施工時張力に基づいて電線カテナリ角（φ）を算出するステップ（Ｓ４．３）と、  がいし連カテナリ角と電線カテナリ角と施工条件データに基づいて支持なしジャンパ装置のジャンパソケット出口の座標を算出するステップ（Ｓ４．４）と、
予め記憶装置に保存された施工条件を反映させる前の分割ジャンパの標準の模擬曲線の形を表す下記座標式（１）、（２）に対して、その座標式の各係数（ａ１、ｂ１）に、ジャンパソケット出口座標とジャンパ最下点のｚ座標データに基づいて定まる基準楕円（Ｄ１）の半長径（ａ１）及び半短径（ｂ１）を代入すると共に、がいし連カテナリ角（α）と線路条件の一つである水平角（θ）の二条件に一致する小楕円（Ｄ２）の長軸用・短軸用補正係数（ａ２，ｂ２）を、予め記憶装置に保存された補正係数用テーブルから抽出し、その抽出結果を下記座標式（１）（２）の各係数（ａ２、ｂ２）に代入して施工条件を反映させ、施工条件を反映させた模擬座標式に基づいて分割ジャンパの長さを算出するステップ（Ｓ４．５）と、
二つの分割ジャンパの長さと、ジャンパ両端部のジャンパソケットへの挿入分の長さの合計値を算出し、その算出結果を表示装置に表示するステップ（Ｓ４．６，Ｓ５）を実行させるための支持なしジャンパ装置のジャンパ実長計算プログラム。
【数１】
2005237116.tif 000063
【数２】
2005237116.tif 000064
【請求項２】
２本の電線（３）を短絡する１本のジャンパ（４）と、ジャンパ（４）の両端部に取り付けるジャンパソケット（１５）からなるジャンパ装置（２）、及びジャンパの中間部に取り付けるＶ吊支持装置（３７）とからなり、そのジャンパソケットを鉄塔アーム（１）の横幅方向両側から別々に延びるがいし装置（５）に固定し、Ｖ吊支持装置を鉄塔アームの横幅方向中間部から垂下してジャンパの中間部を支持するＶ吊支持ジャンパ装置において、ジャンパを、２つのジャンパソケットへの挿入分と、Ｖ吊支持装置のクランプ装置（４０）幅分と、ジャンパソケットとＶ吊支持装置のクランプ装置の間を繋ぐ分に計算上、分け、ジャンパソケットとＶ吊支持装置のクランプ装置の間を繋ぐ分を、ジャンパ弛度最下点を境にして電線側とＶ吊支持装置側に計算上、二分し、それらを合計することによってジャンパの実長を算出するためにコンピュータに、
線路条件・気象条件・電線条件・がいし装置条件・Ｖ吊支持装置条件からなる施工条件データを入力させる入力フォーム（２５〜２８，４７）を表示装置（１７）に出力するステップ（Ｓ１）と、  入力装置（１６）から入力された施工条件データを記憶装置（２０）に保存するステップ（Ｓ３）と、  施工条件データに基づいて電線の施工時張力を算出するステップ（Ｓ６．１）と、  施工条件データと施工時張力に基づいてがいし連カテナリ角（α）を算出するステップ（Ｓ６．２）と、施工条件データと施工時張力に基づいて電線カテナリ角（φ）を算出するステップ（Ｓ６．３）と、  がいし連カテナリ角と電線カテナリ角と施工条件データに基づいてＶ吊支持ジャンパ装置のジャンパソケット出口の座標を算出するステップ（Ｓ６．４）と、  施工条件データに基づいてクランプ装置のクランプ点座標を算出するステップ（Ｓ６．５）と、
ジャンパ弛み度最下点よりも電線側の分割ジャンパの標準の模擬曲線の形を表す下記座標式（３）、（４）が予め記憶装置（２０）に保存されており、その座標式の各係数（ａ１、ｂ１）に、ジャンパソケット出口座標と、施工条件データのジャンパ弛み量に基づいて定まる基準楕円（Ｄ１）の半長径（ａ１）及び半短径（ｂ１）を代入して施工条件を反映させ、施工条件を反映させた模擬座標式に基づいて電線側の分割ジャンパの長さを算出するステップ（Ｓ６．６）と、
ジャンパ弛み度最下点よりもＶ吊支持装置側の分割ジャンパの標準の模擬曲線の形を表す下記座標式（５）、（６）が予め記憶装置に保存されており、その座標式の各係数（ａ１’、ｂ１’）に、Ｖ吊支持装置の支持点座標とジャンパ弛み量に基づいて定まる一般楕円の半長径（ａ１’）及び半短径（ｂ１’）を代入して施工条件を反映させて、Ｖ吊支持装置側の分割ジャンパの長さを算出するステップ（Ｓ６．７）と、
２つのジャンパソケットへの挿入分と、二つの電線側の分割ジャンパの長さと、二つのＶ吊支持装置側の分割ジャンパの長さと、支持装置幅の合計値を算出し、その算出結果を表示装置に表示するステップ（Ｓ６．８，Ｓ７）を実行させるためのＶ吊支持ジャンパ装置のジャンパ実長計算プログラム。
【数３】
2005237116.tif 000065
【数４】
2005237116.tif 000066
【数５】
2005237116.tif 000067
【数６】
2005237116.tif 000068
【発明の詳細な説明】
【技術分野】
【０００１】
本発明は、鉄塔のアームの両側にがいし装置を介して電線を架設し、双方のがいし装置にジャンパ装置の両端部を固定し、ジャンパ装置のジャンパによって２本の電線を短絡させるものにおいて、そのジャンパの実長をコンピュータで高精度に求めることのできる計算プログラムに関する。
【背景技術】
【０００２】
鉄塔間に電線を架設する場合、鉄塔アームの両側にがいし装置を介して電線を固定し、双方のがいし装置にジャンパ装置を固定することによって、２本の電線をジャンパで短絡させている。がいし装置は、その先部に付いている電線用ソケットに電線端部を接続し、電線用ソケットの一部にジャンパ装置のジャンパソケットが着脱可能に固定され、ジャンパソケットにジャンパの端部を接続する。そして、電線用ソケットとジャンパソケットが二股に分岐する形態で一体となったものをクランプと称する。
【０００３】
また、ジャンパは、両端部をジャンパソケットで圧縮することによって取り付けられるが、取付前には、必要なジャンパの長さが分からなかった。そして、ジャンパはジャンパ装置の一部であることから、ジャンパの取付作業は以下の要領で行われていた。まず、がいし装置を引き上げて電線を接続し、鉄塔のアームに固定する。その次に、片側にジャンパソケットが付いたジャンパを引き上げて、ジャンパの形状、離隔距離等を実際に試してみて、必要な長さを把握していた。そして、必要な長さとなる端部を切断箇所としてマーキングした後、ジャンパ装置を地上に降ろして機材によって切断し、ジャンパの残りの片側にジャンパソケットを機材を用いて取り付けた上で、再度、ジャンパ装置を鉄塔に引き上げてがいし装置に固定するという一連の作業を強いるものであった。また、マーキング後にジャンパ装置を地上に降ろさずに、切断及び接続に必要な機材を鉄塔に引き上げて、ジャンパを高所で切断及び接続することも行われている。
【発明の開示】
【発明が解決しようとする課題】
【０００４】
しかしながら、鉄塔上でジャンパに必要な長さを把握するという点では、何れの方法も同じであり、危険性が大きかった。また、ジャンパに必要な長さが予めわかってないため、作業効率が悪かった。
【０００５】
本発明は上記実情を考慮して開発されたもので、計算プログラムをコンピュータに実行させることによって予めジャンパの必要な長さを把握し、それによって上記した危険性を回避すると共に、作業効率を向上することを解決課題とする。なお、ジャンパ装置は、ジャンパの支持の仕方によって色々あるが、その中でも、支持なしジャンパ装置、Ｖ吊り支持ジャンパ装置について、ジャンパの実長を計算上、算出することを本発明の解決課題とする。
【課題を解決するための手段】
【０００６】
請求項１の発明は、２本の電線を短絡する１本のジャンパと、ジャンパの両端部に取り付けるジャンパソケットからなり、そのジャンパソケットを鉄塔アームの横幅方向両側から別々に延びるがいし装置に固定し、ジャンパを両端部以外では支持しない支持なしジャンパ装置において、そのジャンパの実長を算出するために、以下の思想で作られている。
【０００７】
ジャンパを、２つのジャンパソケットへの挿入分と、２つのジャンパソケット間を繋ぐ分に計算上、分け、ジャンパソケットの製品仕様からジャンパソケットへの挿入分の長さを把握する。２つのジャンパソケット間を繋ぐ分の長さを求めるために、アームの中心点を境にしてアーム横幅方向であるｘ軸方向に計算上、ジャンパを二分し、二分した点をジャンパ最下点と仮定する。一方の分割ジャンパのジャンパ最下点のｚ座標とジャンパソケット出口のｚ座標との差分を楕円短軸の半短径ｂ１とし、同じ方の分割ジャンパのジャンパ最下点とジャンパソケット出口をｘ、ｙ座標上で結んだ線分の長さを楕円長軸の半長径ａ１とし、その結んだ線分の方向をｘ’方向に設定し、この半長径ａ１と半短径ｂ１からなる１／４の基準楕円よりも分割ジャンパが小さいとする。基準楕円に対して半長径が半長径用補正係数ａ２、半短径が半短径用補正係数ｂ２だけそれぞれ小さい小楕円を想定し、小楕円よりも分割ジャンパが大きいとする。その小楕円に接し且つジャンパ最下点の座標とジャンパソケット出口の座標を端点とするサイン曲線を想定し、そのサイン曲線が分割ジャンパに近似する模擬曲線であるとする。
【０００８】
がいし連カテナリ角と水平角の変化に対応する小楕円の半長径用・半短径用補正係数のテーブルを実規模試験から作成し、施工地のがいし連カテナリ角と水平角に一致する小楕円の半長径用・半短径用補正係数をテーブルから選択し、施工条件を反映させる前の標準の模擬曲線の形を表すｘ’軸とｚ軸の二次元の下記座標式（１）、（２）の係数に、基準楕円の半長径・半短径、及び小楕円の半長径用・半短径用補正係数を代入して施工条件を反映させた模擬座標式を求め、その模擬座標式に基づいて一方の分割ジャンパの長さを求め、同じ要領で他方の分割ジャンパの長さを求め、それら分割ジャンパの長さを利用してジャンパの実長を算出するという思想である。
【数１】
2005237116.tif 000003
【数２】
2005237116.tif 000004
【０００９】
そして、コンピュータに、線路条件・気象条件・電線条件・がいし装置条件・支持なしジャンパ装置条件からなる施工条件データを入力させる入力フォームを表示装置に出力するステップと、  入力装置から入力された施工条件データを記憶装置に保存すると共に支持なしジャンパ装置条件のジャンパ深さをジャンパ最下点のｚ座標データに設定するステップと、  施工条件データに基づいて電線の施工時張力を算出するステップと、  施工条件データと施工時張力に基づいてがいし連カテナリ角を算出するステップと、  施工条件データと施工時張力に基づいて電線カテナリ角を算出するステップと、  がいし連カテナリ角と電線カテナリ角と施工条件データに基づいて支持なしジャンパ装置のジャンパソケット出口の座標を算出するステップと、予め記憶装置に保存された施工条件を反映させる前の分割ジャンパの標準の模擬曲線の形を表す上記座標式（１），（２）に対して、その座標式の各係数に、ジャンパソケット出口座標とジャンパ最下点のｚ座標データに基づいて定まる基準楕円の半長径及び半短径を代入すると共に、がいし連カテナリ角と線路条件の一つである水平角の二条件に一致する小楕円の長軸用・短軸用補正係数を、予め記憶装置に保存された補正係数用テーブルから抽出し、その抽出結果を下記座標式の各係数に代入して施工条件を反映させ、施工条件を反映させた模擬座標式に基づいて分割ジャンパの長さを算出するステップと、二つの分割ジャンパの長さと、ジャンパ両端部のジャンパソケットへの挿入分の長さの合計値を算出し、その算出結果を表示装置に表示するステップを実行させるものである。
【００１０】
請求項２の発明は、２本の電線を短絡する１本のジャンパと、ジャンパの両端部に取り付けるジャンパソケットからなるジャンパ装置、及びジャンパの中間部に取り付けるＶ吊支持装置とからなり、そのジャンパソケットを鉄塔アームの横幅方向両側から別々に延びるがいし装置に固定し、Ｖ吊支持装置を鉄塔アームの横幅方向中間部から垂下してジャンパの中間部を支持するＶ吊支持ジャンパ装置において、そのジャンパの実長を算出するために、以下の思想で作られている。
【００１１】
ジャンパを、２つのジャンパソケットへの挿入分と、Ｖ吊支持装置のクランプ装置幅分と、ジャンパソケットとＶ吊支持装置のクランプ装置の間を繋ぐ分に計算上、分け、各挿入分及びクランプ装置幅の長さについては、ジャンパソケット及びＶ吊支持装置のクランプ装置の各製品仕様から把握する。製品仕様からは長さを把握できないもの、即ち、ジャンパソケットとＶ吊支持装置のクランプ装置の間を繋ぐ分の長さを求めるために、ジャンパ弛度最下点を境にして電線側とＶ吊支持装置側にジャンパを二分し、電線側の分割ジャンパの長さを次の要領で求める。
【００１２】
一方の電線側の分割ジャンパのジャンパソケット出口のｚ座標とＶ吊支持装置のクランプ装置のクランプ点のｚ座標との差分を垂直成分として求め、同じ方のＶ吊支持装置のクランプ装置のクランプ点から電線側の分割ジャンパのジャンパソケット出口をｘ、ｙ座標上で結んだ線分の長さを水平成分として求める。同じ方の電線側の分割ジャンパのジャンパソケット出口からジャンパ弛度最下点座標をｘ、ｙ座標上で結んだ線分の長さを楕円長軸の半長径として求めるために、楕円長軸の半長径を算出する以下の推定式の変数に、垂直成分と水平成分とジャンパ弛み量を代入して解き、垂直成分とジャンパ弛み量の合計値を楕円短軸の半短径として求め、この半長径と半短径とからなる１／４の基準楕円よりも、電線側の分割ジャンパが小さいとする。基準楕円に対して半長径が半長径用補正係数ａ２、半短径が半短径用補正係数ｂ２だけそれぞれ小さい小楕円を想定し、小楕円よりも電線側の分割ジャンパが大きいとし、その小楕円に接し且つジャンパ最下点の座標とジャンパソケット出口の座標を端点とするサイン曲線を想定し、そのサイン曲線が電線側の分割ジャンパに近似する模擬曲線であるとする。
【００１３】
以後は、請求項１の発明の思想と同じ思想を用いるが、ここで注意すべき点としては、小楕円の半長径用・半短径用補正係数は、がいし連カテナリ角と水平角の変化とは無関係で、常に一定値である点である。この一定値は、実規模試験から得られた値で、ここでは、半長径用・半短径用補正係数ａ２、ｂ２は１．５、０．２である。従って、施工条件を反映させる前の標準の模擬曲線の形を表す二次元の座標式は、下記座標式（１）、（２）の係数ａ２、ｂ２に、１．５、０．２を代入した下記の式（３）、（４）となる。
【数３】
2005237116.tif 000005
【数４】
2005237116.tif 000006
【数５】
2005237116.tif 000007
【数６】
2005237116.tif 000008
【００１４】
そして、施工条件を反映させる前の標準の模擬曲線の形を表す二次元の上記座標式（３）、（４）の係数に、基準楕円の半長径ａ１・半短径ｂ１を代入して施工条件を反映させた模擬座標式を求め、その模擬座標式に基づいて一方の電線側の分割ジャンパの長さを求め、同じ要領で他方の電線側の分割ジャンパの長さを求める。
【００１５】
また、ジャンパ弛度最下点座標を境にして二分したＶ吊支持装置側の分割ジャンパの長さは、一般的な楕円近似で求める。つまり、一方の電線側の分割ジャンパの長さを得る際に求めた水平成分と楕円長軸の半長径との差分を、Ｖ吊支持装置側の楕円長軸の半長径とし、ジャンパ弛み量をＶ吊支持装置側の楕円短軸の半短径とし、これら半長径と半短径とからなる楕円曲線がＶ吊支持装置側の分割ジャンパの曲線であるとする。そして、施工条件を反映させる前の楕円曲線の形を表す下記式（５）（６）からなる二次元の座標式の係数に、Ｖ吊支持装置側の楕円長軸の半長径ａ１’と半短径ｂ１’を代入して、施工条件を反映させたＶ吊側用模擬座標式を求める。Ｖ吊側用模擬座標式に基づいて一方のＶ吊支持装置側の分割ジャンパの長さを求め、同じ要領で他方のＶ吊支持装置側の分割ジャンパの長さを求める。
【数７】
2005237116.tif 000009
【数８】
2005237116.tif 000010
【００１６】
そしてコンピュータに、線路条件・気象条件・電線条件・がいし装置条件・Ｖ吊支持装置条件からなる施工条件データを入力させる入力フォームを表示装置に出力するステップと、  入力装置から入力された施工条件データを記憶装置に保存するステップと、  施工条件データに基づいて電線の施工時張力を算出するステップと、  施工条件データと施工時張力に基づいてがいし連カテナリ角を算出するステップと、  施工条件データと施工時張力に基づいて電線カテナリ角を算出するステップと、  がいし連カテナリ角と電線カテナリ角と施工条件データに基づいてＶ吊支持ジャンパ装置のジャンパソケット出口の座標を算出するステップと、  施工条件データに基づいてクランプ装置のクランプ点座標を算出するステップと、  ジャンパ弛み度最下点よりも電線側の分割ジャンパの標準の模擬曲線の形を表す下記座標式（３）、（４）が予め記憶装置に保存されており、その座標式の各係数に、ジャンパソケット出口座標と、施工条件データのジャンパ弛み量に基づいて定まる基準楕円の半長径及び半短径を代入して施工条件を反映させ、施工条件を反映させた模擬座標式に基づいて電線側の分割ジャンパの長さを算出するステップと、  ジャンパ弛み度最下点よりもＶ吊支持装置側の分割ジャンパの標準の模擬曲線の形を表す下記座標式（５）、（６）が予め記憶装置に保存されており、その座標式の各係数に、Ｖ吊支持装置の支持点座標とジャンパ弛み量に基づいて定まる一般楕円の半長径及び半短径を代入して施工条件を反映させて、Ｖ吊支持装置側の分割ジャンパの長さを算出するステップと、  ２つのジャンパソケットへの挿入分と、二つの電線側の分割ジャンパの長さと、二つのＶ吊支持装置側の分割ジャンパの長さと、支持装置幅の合計値を算出し、その算出結果を表示装置に表示するステップを実行させるものである。
【数９】
2005237116.tif 000011
【数１０】
2005237116.tif 000012
【数１１】
2005237116.tif 000013
【数１２】
2005237116.tif 000014
【発明の効果】
【００１７】
本発明のプログラムをコンピュータで実行させれば、施工条件を入力するだけで、ジャンパの実長を高精度に求めることができる。従って、地上でジャンパに必要な長さが把握できるので、鉄塔上で長さを把握する作業が不要となり、危険が回避されると共に、作業効率も向上する。
【発明を実施するための最良の形態】
【００１８】
本発明のジャンパ実長計算プログラムは、支持なしジャンパ装置用、Ｖ吊り支持ジャンパ装置用のプログラムが組合わさったもので、本プログラムをコンピュータで実行することによって、２つのうち何れかのプログラムを利用者に選択させ、ジャンパの実長を近似的に算出するものである。
【００１９】
支持なしジャンパ装置のジャンパ実長計算プログラムの適用対象は、図１又は図１５に示すように、鉄塔のアーム１の横幅方向両側にがいし装置５をそれぞれ固定し、各がいし装置５の先部に支持なしジャンパ装置２を固定し、支持なしジャンパ装置２のジャンパ４によって２本の電線３，３を短絡するタイプである。なお、各がいし装置５には４本の電線を取り付けられるようになっており、各電線３は内側・外側の天線、内側・外側の地線に区別される。そして、二つのがいし装置５に固定する計８本の電線を計４つの支持なしジャンパ装置２のジャンパ４で短絡する。
【００２０】
支持なしジャンパ装置２はジャンパ４を両端部だけで支持し、それ以外では支持しないものであって、図１から図３に示すようにジャンパ４の両端部にクランプ１１の一部となるジャンパソケット１５を固定し、そのジャンパソケット１５をがいし装置５の先部にボルト等で着脱可能に取り付けたものである。
【００２１】
各がいし装置５は図３に示すように、アーム１への取付具６（ボルト等で固定する）にアーム側ヨーク７を揺動可能に連結し、そのアーム側ヨーク７にがいし連８を連結し、がいし連８の先端部の電線側ヨーク９に対してバーニヤ金具１０を揺動可能に連結し、そのバーニヤ金具１０の先部にクランプ１１の一部となる電線用ソケット１４を連結したものである。また、図３に示すようにバーニヤ金具１０はボルト・ナットの締結箇所の変更によってその全長を伸縮可能に設けたもので、その伸縮機能によってクランプ１１による電線挟持箇所を現場で調整するものである。なお、その調整に伴って、ジャンパ挟持箇所も微妙に変更することになる。
【００２２】
そして、図１３に示すように、アーム１の横幅方向延長線とがいし連８とで形成される角度が、がいし連カテナリ角αとなり、バーニヤ金具１０の延長線方向、換言すれば電線端部の延長方向と、水平線とで形成される角度が、電線カテナリ角φとなる。図３に示すようにアーム側・電線側ヨーク７，９にはアークホーン１２，１３が付いており、アーム側アークホーン１２の下端は、アースされるアーム１側とジャンパ４との絶縁距離を確認する際の目安位置となる。
【００２３】
クランプ１１は図２に示すように、電線用ソケット１４のがいし連側端部からジャンパソケット１５が二股に分岐する形態で着脱可能に設けてあるもので、各ソケット１４，１５の先部を筒状に形成し、その内部に電線３やジャンパ４の各端部を挿入した後に圧縮することによって、電線３やジャンパ４を挟持するものである。なお、ジャンパソケット１５は図２（ロ）に示すように、その上部がコ字状に上向きに開き、電線用ソケット１４のがいし連側端部の外側をその上部が挟む形態となっており、その上部をボルト締めすることによって一体化する。
【００２４】
Ｖ吊支持ジャンパ装置３６のジャンパ実長計算プログラムの適用対象は、図２２に示すように、前述したがいし装置５とジャンパ４とジャンパソケット１５、そしてＶ吊支持装置３７とからなるタイプである。
【００２５】
Ｖ吊支持ジャンパ装置３６は図２２に示すように前述した二つのジャンパソケット１５と一本のジャンパ４と、Ｖ吊支持装置３７とからなるものである。Ｖ吊支持装置３７は図２２から図２４に示すように、鉄塔のアーム１の横幅方向中間部から垂下し、その下端部でジャンパ４の中間部分を挟持するもので、その概略構造は、アーム１の延長方向（図２２中の奥行方向）両側に間隔をあけて固定する一対の取付具３８と、各取付具３８から揺動可能に垂下するがいし連８と、両がいし連８の下部をＶ字状にひとまとめに止める接合具３９と、接合具３９から垂下するクランプ装置４０とからなるものである。クランプ装置４０は、四角い箱形の枠４１に対して、内外の天線用クランプ４２，４３と内外の地線用クランプ４４，４５が対称的に設けてある。各クランプ４２〜４５は、ジャンパ４をほぼ水平に挟持する。なお、枠４１内にはブロック状の重り４６を固定してある。
【００２６】
ジャンパ実長計算プログラムは図４に示すように、キーボードやマウス等からなる入力装置１６、ディスプレイ等からなる表示装置１７、本プログラムの命令を順番に実行するＣＰＵ１８、本プログラム等を記憶しておくＲＡＭ１９、本プログラムの実行に必要なデータ及び計算結果等を保存しておく記憶装置２０を構成要素とする標準的なコンピュータによって実行されるものである。
【００２７】
本プログラムを実行させた場合には、ＣＰＵ１８からの指令によって図６に示すような以下の処理（ステップ）が順次行われ、コンピュータが図５に示すように各種の手段として機能する。処理の概略を説明すれば、まず、第一ステップＳ１では、施工条件入力手段２１が機能して、記憶装置２０に予め保存された各種の施工条件データの入力フォームを読み取って、表示装置１７に入力フォームを順次出力する。そして、第二ステップＳ２では、その入力フォームを見ながら利用者が入力装置１６から施工条件を数値で入力し、また、２つの支持タイプのうちの何れかを選択してその支持タイプ固有の施工条件を数値で入力し、最終的に施工条件データの入力が完了したことを入力装置１６に入力する。ちなみに、第二ステップＳ２では支持なしジャンパ装置が選択されたと仮定して、以後の説明を行う。図２１に示すように第三ステップＳ３では、その入力完了通知を受けて記憶手段２２が機能し、記憶装置２０に施工条件データを書き込んで保存する。次に、第四ステップＳ４では、ジャンパ実長計算手段２３が機能して、記憶装置２０に予め保存された計算式を読み出して、その計算式の変数に対応するデータを、記憶装置２０に保存された施工条件データから抽出し、その抽出結果を変数に代入し、計算式を解いてジャンパの実長の算出を行う。なお、ジャンパの実長及びそのジャンパ実長の算出過程で求めた値は、記憶装置２０に保存しておく。また、ジャンパ実長の算出の仕方の詳細は、後で記す。第五ステップＳ５では、ジャンパの実長の出力手段２４が機能して、最後にそのジャンパの実長の算出結果を記憶装置２０から読み取って、ジャンパの実長及びその関連事項を表示装置１７に出力するという一連の処理が行われる。
【００２８】
上述した第一ステップＳ１中の入力フォームについて詳述する。入力フォームは、線路条件、電線条件、気象条件、がいし装置条件、支持なしジャンパ装置条件、Ｖ吊支持ジャンパ装置条件について別々に設けてある。
【００２９】
線路条件入力フォーム２５は図７に示すように、導体数、導体間隔、若側と老側の水平角、径間長、高低差の各文字表示と、文字表示付近の数値入力欄を設けてある。「導体数」とはアーム１の片側に架設する電線本数を意味する。ちなみに、電線本数を４本として今後の説明をする。「導体間隔」とは、導体同士が離れている距離を意味し、ここでは４本の電線が断面正方形の四隅に配置された状態での離れている距離を意味する（図１９参照）。「若側」とは図１では左側、「老側」とは右側を意味する。「径間長」とは、両端で支持される電線の水平長を意味し、「高低差」とは、電線両端の高低差を意味する。「水平角」とは、図１５に示すように一方のがいし連８の延長線と他方のがいし連８とで形成する平面方向から視た角度である。そして、電線３を支持する際には、予めアーム１の延長方向とがいし連とで形成する角度を、若側と老側で一致させることに注意を要する。つまり、その角度を水平角θの半角θ／２となる状態に鉄塔を建てる。このように設置すれば、アーム１に対する双方の電線３，３からの荷重が均等となり電線３の理想的な支持形態となる。これら数値入力欄に利用者が施工現場状況及び電線製品仕様に基づいて入力装置１６を使って数値を入力し、線路条件入力フォーム２５の下に表示される「次へ」のボタンをクリックすると、入力されたデータが記憶装置２０に保存されると共に、図８に示すように電線条件入力フォーム２６が表示装置１７に表示される。
【００３０】
電線条件入力フォーム２６は、電線の外径、計算断面積、単位重量、弾性係数、線膨張係数、高温季と低温季の若側及び老側の最大使用張力の各文字表示と、その文字表示付近の数値入力欄を設けてある。「高温季」とは台風襲来時のこと、「低温季」とは電線への着氷雪時のことを意味する。これら数値入力欄に利用者が電線の製品仕様に基づいて入力装置１６を使って数値を入力し、入力フォームの下に表示される「次へ」のボタンをクリックすると、入力されたデータが記憶装置２０に保存されると共に、図９に示すように気象条件入力フォーム２７が表示装置１７に表示される。
【００３１】
気象条件入力フォーム２７は、高温季の温度、風圧、及び低温季の温度、風圧、被氷厚さ、比重、計算温度の各文字表示と、文字表示付近の数値入力欄とからなる。「計算温度」とはジャンパの施工時の推定温度を意味する。ここで、推定温度としたのは、ジャンパを購入するための発注時期と、実際の施工時期にはタイムラグがあるので、その発注時期では施工時の温度を推定して計算させるためである。これら数値入力欄に利用者が設計条件に基づいて数値を入力して、「次へ」のボタンをクリックすると、入力されたデータが記憶装置２０に保存されると共に、図１０に示すようにがいし装置条件入力フォーム２８が表示装置１７に表示される。
【００３２】
がいし装置条件入力フォーム２８は、アーム幅、ジャンパ重量、若側と老側についてのがいし連長、がいし連重量、天線及び地線の電線側ヨーク〜ジャンパソケット出口の水平寸法・垂直寸法、アーム〜アークホーン下端への水平・垂直寸法、ジャンパソケット挿入寸法、の各文字表示と、その文字表示横の数値入力欄を設けてある。「アーム幅」とはアームの横幅のことである。「がいし連長」とは、図３に示すように、取付具６とアーム側ヨーク７の支点から、電線側ヨーク９とバーニヤ金具１０との支点までの距離である。「電線側ヨーク〜ジャンパソケット出口の水平寸法・垂直寸法」とは、電線側ヨーク９とバーニヤ金具１０との支点から、ジャンパソケット出口の中心位置までの水平・垂直距離である。「天線、地線」とは、上側の電線、下側の電線である。この入力フォームは、若側と老側で、天線と地線に関連する上述した水平・垂直寸法を入力しているが、図３に示すように、このがいし装置５では片側４本の電線をクランプするものとなっている。「アークホーンの下端」とは、アーム側アークホーン１２の下端を意味し、前述したようにアースされるアーム１側とジャンパ４との絶縁距離を確認する際の目安位置となる。そして、これらの数値入力欄に利用者ががいし装置５の製品仕様に基づいて数値を入力し、さらにジャンパ４の支持の仕方を選択するために、ジャンパ支持の文字表示横のプルダウンメニューから、支持なしを選択して、「次へ」のボタンをクリックすると、入力されたデータが記憶装置２０に保存されると共に、図１１に示すように支持なしジャンパ装置条件入力フォーム２９が表示装置１７に表示される。
【００３３】
支持なしジャンパ装置条件入力フォーム２９は、支持なしジャンパ装置のジャンパ実長を算出する際に必要な特有のデータを入力させるためのもので、ジャンパ深さ、ジャンパソケット挿入寸法（共通）の文字表示と、その文字表示横の数値入力欄とからなる。この数値入力欄に利用者が数値を入力して、「次へ」のボタンをクリックすると、入力されたデータが記憶装置２０に保存されると共に、図２１に示すジャンパ実長を算出する第四ステップＳ４が実行され、その計算過程で求めた値を記憶装置２０に保存しながら、ジャンパ実長が求められる。ちなみに、ジャンパ深さは、設計電圧に対応させて変化する絶縁間隔であって、設計条件から算出することができる。
【００３４】
第四ステップＳ４のプログラムは以下の思想に基づいて作成されている。ジャンパ４を、２つのジャンパソケット１５，１５への挿入分と、２つのジャンパソケット１５，１５間を繋ぐ分（以下繋ぐ分という）に計算上、分ける。そして、支持なしジャンパ装置２の製品仕様からジャンパソケットへの挿入分の長さを把握する。また、繋ぐ分の長さを、施工条件データを利用して近似的に求める。近似的に求める仕方は、若側と老側のジャンパソケット出口座標をそれぞれ求め、２つのジャンパソケット出口座標等に基づいてジャンパ曲線の近似式を求め、繋ぐ分の長さをその近似式に基づいて求める仕方である。そして、その求めた値にジャンパソケットへの挿入分の長さを加算することで、ジャンパの実長が求まる。
【００３５】
そして、第四ステップＳ４では図２１に示すように、ジャンパソケット１５の出口座標を算出するための変数を得るために、ジャンパ４の施工時張力を算出するステップＳ４．１、がいし連カテナリ角を算出するステップＳ４．２、電線カテナリ角を算出するステップＳ４．３が、初めに行われる。ここで、ジャンパソケット出口座標を算出するには、図１に示すようにがいし連カテナリ角αだけがいし装置５がｚ軸方向（鉛直方向）に傾いているので、がいし連カテナリ角を算出して用いることが必要である。また、電線側ヨーク９からクランプ１１までが電線カテナリ角φだけｚ軸方向に傾いているので、電線カテナリ角φを算出して用いることがジャンパソケット出口座標をより高精度に求めるには必要である。
【００３６】
がいし連カテナリ角αを求めるには後述するが、計算用の変数として施工時張力が必要である。そこで、ジャンパの実長を算出する第四ステップＳ４では、最初にジャンパの施工時張力を算出するステップＳ４．１が実行される。このステップＳ４．１では、図５中のがいし連カテナリ角算出手段３０が機能して、図１２に示すように、高温季の負荷係数を算出するステップＳ４．１-１、低温季の負荷係数を算出するステップＳ４．１-２、高温季・低温季の負荷係数を利用して臨界径間を算出するステップＳ４．１-３がまず実行される。各ステップでは、予め記憶装置２０には各種の計算式が保存されていて、その計算式を読み込んで、その計算式の変数に対応するデータを、施工条件データや計算結果データから抽出し、抽出結果を変数に代入し、計算式を解き、計算結果を得、その計算結果を記憶装置２０に保存し、次のステップに移行するという処理を順番に行う。
【００３７】
ここで「負荷係数」とは、電線にかかる荷重としては自重（単位重量）、風圧荷重、被氷荷重の３つがあるが、これらの合成荷重の大きさの自重に対する比率のことを意味する。「臨界径間」とは、ある径間長を境としてそれより長径間では高温季荷重の方が酷であり、それより短径間では低温季荷重の方が酷であるという境目となる径間長を意味する。
【００３８】
高温季の負荷係数qH、及び低温季の負荷係数qＬは、下記式（７）の変数に、施工条件データのうち対応するものを代入し、式を解いて求める。
【数１３】
2005237116.tif 000015
ww＝風圧荷重（ww＝P×d）、wi ＝被氷荷重（wi＝ST×π×C×（d＋ST））、w ＝電線自重  、Ｐ＝風圧（高温季風圧PH、低温季風圧PL）、ｄ＝外径、ST＝被氷厚さ、C＝被氷比重である。これらは、気象条件、電線条件データとして記憶装置２０に保存されている。
【００３９】
また、臨界径間は下記式（８）の変数に、高温季・低温季の負荷係数、施工条件データのうち対応するものを代入し、式を解いて求める。
【数１４】
2005237116.tif 000016
【００４０】
臨界径間を算出するステップＳ４．１-３を実行した後には、まず、若側について高温季と低温季のいずれが最悪条件かを判定するステップＳ４．１-４に移行する。ここでは、まず、負荷係数と低温季負荷係数を記憶装置２０から読み込み、次の計算式、即ち(qH2-qL2)に読み込んだ値を代入し、式を解いて計算結果を求め、(qH2-qL2)＜０の場合は、低温季が最悪条件であるので、低温季負荷係数を次のステップＳ４．１-５で用いる弛度計算式の負荷係数用変数として設定する。一方、(qH2-qL2)≧０の場合は、若側の径間長Sと臨界径間SCを記憶装置２０から順次読み込み、いずれが長いか又は同じであるかを減算式によって判定し、臨界径間SCの方が長い場合には低温季が最悪条件であるので、低温季負荷係数、低温季最大使用張力、低温季温度を次のステップＳ４．１-５で用いる弛度計算式の最悪条件の負荷係数用変数q、最大使用張力用変数Tmax、温度ｔとして設定する。一方、径間長Sの方が長い場合には、高温季が最悪条件であるので、高温季負荷係数等を同様に最悪条件の負荷係数用変数等として設定する。さらに、減算式の結果が０の場合は、いずれも最悪条件なので、どちらを用いても良いのであるが、プログラムとしては高温季を最悪条件として選択するものとし、その選択結果に基づいて同様に設定する。
【００４１】
続いて、次のステップＳ４．１-５に移行し、ここでは、下記式（９）からなる弛度計算式
【数１５】
2005237116.tif 000017
を用いる。但し、下記の３式（１０）（１１）（１２）の条件があるものとする。
【数１６】
2005237116.tif 000018
【数１７】
2005237116.tif 000019
【数１８】
2005237116.tif 000020
【００４２】
そして、上記弛度計算式（９）とその変数を記憶装置２０から読み込んで、その読み込んだ値を代入し、式を解いて施工時の単位断面積あたりの張力f’を求め、次に、その算出結果と計算断面積Ａを、T’=Af’の各変数に代入し、式を解いて施工時張力T’を算出し、その算出結果を記憶装置２０に保存する。ｑ’：１（施工時の負荷係数）、Ｅ：弾性係数、w：単位重量、S：径間長、α：線膨張係数、t’：施工時温度、t：最悪条件温度、A：計算断面積、Tmax：最大使用張力、δ：w/A（即ち単位断面積あたりの重量）とする。
【００４３】
次に、同様の仕方によって、老側について高温季と低温季のいずれが最悪条件かを判定するステップＳ４．１-６、弛度計算式を解いて老側の施工時張力を算出するステップＳ４．１-７を順番に実行し、その後、がいし連カテナリ角を算出するステップＳ４．２に移行する。
【００４４】
がいし連カテナリ角を算出するステップＳ４．２は、以下の思想に基づいて作られている。図１３又は図１４に示すように、がいし連の先端には電線の施工時張力と電線重量が働いており、且つがいし連の中心にはがいし連の重量Ｉが働いている。よって、がいし連を上方に引き上げる方向のモーメントＭupはＴ’λsinαで、下方に引き下げる方向のモーメントＭdownは、下記式（１３）に示すように、
【数１９】
2005237116.tif 000021
で表される。λ：がいし連長、Ｉ：がいし連重量、T’：施工時張力、ｈ：高低差、Ｎ：導体数、ｗｊ：ジャンパ重量、とする。上下にはたらくモーメントは釣り合っているので、下記式（１４）の関係を保つ。
【数２０】
2005237116.tif 000022
【００４５】
上記式（１４）を展開すれば、下記式（１５）となる。
【数２１】
2005237116.tif 000023
この式を解けば、tanαが求まり、その結果αが求まる。
【００４６】
従って、がいし連カテナリ角を算出するステップＳ４．２では、図５中のがいし連カテナリ角算出手段３０が機能して、まず若側のがいし連カテナリ角αを算出するために、上記式（１５）とそれに用いる変数に対応するデータを、記憶装置２０から読み込んで、変数を代入して式を解いて、tanαを求める。そして、記憶装置２０内には、tanαの数値とその数値に対応する角度が関連づけられたデータテーブルが予め保存されているので、tanαの数値に対応する角度をデータテーブルから抽出して、その抽出結果をがいし連カテナリ角として記憶装置２０に保存する。続いて、同様の処理で、老側のがいし連カテナリ角を算出し、その算出結果を記憶装置２０に保存する。
【００４７】
図２１に示すようにがいし連カテナリ角を算出するステップＳ４．２が終了すると、続いて、電線カテナリ角算出手段３１が機能して（図５参照）、電線カテナリ角を算出するステップＳ４．３が実行される。このステップＳ４．３は、以下の思想で作られている。
【００４８】
図１４に示すように二点Ａ，Ｂを支持点とする電線のなす曲線の形は、近似的に放物線とみなすことから、下記式（１６）のように、
【数２２】
2005237116.tif 000024
で表される。但し、ｃ：電線の最下点。
【００４９】
そして、また、下記式（１７）のように
【数２３】
2005237116.tif 000025
である。そして、電線の端部における電線の傾斜は、上記式（１７）を微分した下記式（１８）のように、
【数２４】
2005237116.tif 000026
で表される。また、下記式（１９）のように、
【数２５】
2005237116.tif 000027
で表されることから、電線カテナリ角は、上記式（１７）の関係を利用して、下記式（２０）のように、
【数２６】
2005237116.tif 000028
で表される。ｈ：高低差
【００５０】
従って、電線カテナリ角を算出するステップＳ４．３では、図５中の電線カテナリ角算出手段３１が機能して、まず、若側の電線カテナリ角を算出するために、上記式（２０）とそれに用いる変数に対応するデータを、記憶装置２０から読み込んで、変数を代入して式を解き、その計算結果に対応する角度を、記憶装置２０内のデータテーブルから抽出して、その抽出結果を電線カテナリ角として記憶装置２０に保存する。続いて、同様の処理で、老側の電線カテナリ角を算出し、その算出結果を記憶装置２０に保存する。
【００５１】
図２１に示すように電線カテナリ角を算出するステップＳ４．３が終了すると、続いて、ジャンパソケット出口座標算出手段３２が機能して（図５参照）、ジャンパソケット出口の座標を算出するステップＳ４．４を実行する。
【００５２】
このステップは、以下の思想で作られている。ジャンパソケット出口座標を算出する際には、図１又は図１５に示すようにがいし連８がアーム１に対してがいし連カテナリ角αだけｚ軸方向に傾いていること、バーニヤ金具１０及びクランプ６がアーム１に対して電線カテナリ角φだけｚ軸方向に傾いていること、図１５に示すように平面視した場合にアーム１に対してがいし連８が水平角の半分θ／２だけｙ軸方向に傾いていることを反映させる必要がある。また、前述したように鉄塔を設置する際には、予め若側の水平角の半分θ／２と老側の水平角の半分θ／２が一致する位置に鉄塔を建てることに注意を要する。このように設置すれば、電線の理想的な支持形態となると共に、アームの横幅方向がｘ軸方向となり、ｘ軸を水平角の半分θ／２だけｙ軸方向に回転した場合に、平面視した状態のがいし連８の延長方向となる。
【００５３】
また、何事も座標を求めるには、まず、原点が必要となるので、図１に示すようにアーム１の中心を原点（０，０，０）とする。ここでは、計算上、原点からジャンパソケット出口までの、アーム１及びがいし装置５を棒状物と考える。また、アーム１としての棒状物を半分に分割し、がいし装置５としての棒状物をアーム１への取付前の水平に保持した状態で複数の要素に分割する。そして、がいし連カテナリ角、水平角の半分、電線カテナリ角だけ傾いていることを反映させて、これら分割した要素単独の先端（ジャンパソケット側）の仮の座標を算出する。最後に、全ての仮の座標を加算することによって、ジャンパソケット出口の座標が求まる。
【００５４】
詳細に説明すれば、アーム１を半分に分割して、その長さをＬ０／２とする。また、がいし装置５を取付具６の支点から電線側ヨーク９の中心まで、電線側ヨーク９の中心からバーニヤ金具１０の取付位置までの垂直寸法・水平寸法、バーニヤ金具１０の取付位置からジャンパソケット出口までの水平寸法・垂直寸法に分割し、各々の長さを順番にＬ１、Ｌ２／２、Ｌ５／２、Ｌ３、Ｌ４とする（図１、図３参照）。上記長さは、各種の入力フォームから得られる。アームの半分Ｌ０／２は、図１０中の、アーム幅の１／２に相当する。取付具６の支点から電線側ヨーク９の中心までの距離Ｌ１は、図１０中の、がいし連長に相当する。電線側ヨーク９の中心からバーニヤ金具１０の取付位置までの垂直成分Ｌ２／２・水平成分Ｌ５／２、は、図７中の、導体間隔の１／２に相当する。バーニヤ金具１０の取付位置からジャンパソケット出口までの水平距離・垂直距離は、図１０中の、電線側ヨーク〜ジャンパソケット出口までの水平寸法Ｌ３・垂直寸法Ｌ４に相当する。
【００５５】
そして、取付具６の支点から電線側ヨーク９の中心まで（がいし連長）Ｌ１と、電線側ヨーク９の中心からバーニヤ金具１０の取付位置までの垂直寸法Ｌ２／２・水平寸法Ｌ５／２の各要素については、がいし連カテナリ角、水平角の半分だけ傾いていることを考慮して、各要素の先端の仮の座標を求める。最初に、該垂直寸法Ｌ２／２は、その長さをそのままｚ座標に設定し、ｘ座標、ｙ座標については０とまず設定する。つまり、該垂直寸法Ｌ２／２の座標を暫定的に（０，０，ｚ）とする。また、がいし連長Ｌ１と水平寸法Ｌ５／２は、その長さをｘ座標に設定し、ｙ座標、ｚ座標を０と設定する。つまり、各要素の座標を暫定的に（ｘ、０，０）とする。そして、これらの暫定的な座標をｙ軸方向に水平角の半分だけ回転させ、次に、ｚ軸方向にがいし連カテナリ角αだけ回転させるという具合に３次元回転する。
【００５６】
また、電線側ヨーク〜ジャンパソケット出口までの水平寸法Ｌ３・垂直寸法Ｌ４の各要素については、電線カテナリ角、水平角の半分だけ傾いていることを考慮して、各要素の先端の仮の座標を求める。つまり、水平寸法Ｌ３・垂直寸法Ｌ４は、その長さをｘ座標に設定し、ｙ座標、ｚ座標を０と設定する。つまり、各要素の座標を暫定的に（ｘ、０，０）とする。そして、これらの暫定的な座標をｙ軸方向に水平角の半分だけ回転させ、次に、ｚ軸方向にがいし連カテナリ角αだけ回転させるという具合に３次元回転する。
【００５７】
このようにして求まった各３次元の仮の座標と、アームの半分のｘ座標を加算すれば、ジャンパソケット出口の座標が求まる。
【００５８】
従って、ジャンパソケット出口の座標を算出するステップＳ４．４では（図２１参照）、ジャンパソケット出口座標算出手段３２が機能して、まず、若側の外側天線のジャンパソケット出口座標を求めるために、記憶装置２０からアーム幅Ｌ０を読み込んで、アーム幅を半分に割り算し、その値を一時的に保存する。また、記憶装置２０から若側の水平角、がいし連カテナリ角、がいし連長Ｌ１、電線側ヨーク９の中心からバーニヤ金具１０の取付位置までの垂直寸法Ｌ２／２、水平寸法Ｌ５／２を順次読み込んで、各々を上述した暫定的な座標に設定し、水平角の半分及びがいし連カテナリ角分だけその暫定的な座標を３次元回転し、座標を求め、その求めた値を一時的に保存する。次に、電線側ヨーク〜ジャンパソケット出口までの水平寸法Ｌ３・垂直寸法Ｌ４、電線カテナリ角を順次記憶装置から読み込んで、各々を上述した暫定的な座標に設定し、水平角の半分及び電線カテナリ角分だけその暫定的な座標を３次元回転し、座標を求め、その求めた値を一時的に保存する。そして、現在求めた値を合計し、その加算したｘ座標に−を付加することによって、若側の外側天線のジャンパソケット出口座標を求め、ジャンパソケット出口座標及びその算出過程で求めた値を記憶装置２０に保存する。ここで、-を付加したのは、若側のｘ座標はマイナスになるからである。以後、同じ要領で若側の内側天線、若側の外側地線・内側地線についてのジャンパソケット出口座標を求め、さらに、老側についても同様にジャンパソケット出口座標を求め、求めた値などを記憶装置２０に保存する。そして、ジャンパソケット出口の座標を算出するステップＳ４．４が終了すると、続いて、分割ジャンパの長さを算出するステップＳ４．５が実行される。
【００５９】
分割ジャンパの長さを算出するステップＳ４．５は、以下の思想で作られている。前述したようにジャンパ４を、２つのジャンパソケット１５，１５への挿入分と、２つのジャンパソケット１５，１５間を繋ぐ分に計算上、分ける。そして、繋ぐ分の長さを求めるために、アーム１の中心点を境にしてアーム横幅方向であるｘ軸方向に計算上、ジャンパ４を二分する。このようにすると、図１５に示すように、若側と老側のジャンパソケット出口が対称とは限らないことが分かる。このように非対称の場合にはアーム１の中心点（原点）を境にしてジャンパの曲線の形が異なることも分かる。そして、二分した点を計算上、ジャンパ最下点ＪＰＤ（ｘ、ｙ、ｚ）と設定する。なお、ここで設定したジャンパ最下点は仮定である。理想的にはこの仮定の位置にジャンパ最下点がくるのが施工上望ましいのだが、実際の最下点は別の位置に来ることもある。そして、分割ジャンパの曲線の形は、以下の理由により後述するサイン曲線の形に近似していると、本発明者は判断した。
【００６０】
まず、図１５に示すように、ジャンパ最下点ＪＰＤのｚ座標とジャンパソケット出口座標ｇＪｔのｚ座標との差分を楕円短軸の半短径ｂ１とし、同じ方の分割ジャンパのジャンパ最下点とジャンパソケット出口をｘ、ｙ座標上で結んだ線分の長さを楕円長軸の半長径ａ１とし、この半長径と半短径からなる１／４の基準楕円Ｄ１を図１７に示すように作成する。そうすると、この基準楕円Ｄ１よりも分割ジャンパが小さいことが分かる。
【００６１】
また、図１７に示すように、基準楕円Ｄ１に対して半長径が半長径用補正係数ａ２、半短径が半短径用補正係数ｂ２だけそれぞれ小さい小楕円Ｄ２を作成する。すると、小楕円Ｄ２よりも分割ジャンパが大きいことが分かる。
【００６２】
そして、その小楕円に接し且つジャンパ最下点ＪＰＤの座標とジャンパソケット出口座標ｇＪｔを両端点とする０度から９０度のサイン曲線を想定すると、そのサイン曲線が分割ジャンパの曲線にほぼ一致することが分かった。従って、サイン曲線はジャンパの曲線に近似する模擬曲線である。そして、施工条件を反映させる前の標準の模擬曲線の座標は、下記式（１）、（２）からなる座標式で表される（図１８参照）。
【数２７】
2005237116.tif 000029
【数２８】
2005237116.tif 000030
ｘ’：二つのジャンパソケット出口座標を結ぶジャンパを平面視した場合の、ジャンパの延長方向とする（図１６参照）。
【００６３】
ここで、小楕円Ｄ２を求める際には、半長径用補正係数ａ２、半短径用補正係数ｂ２が必要となる。これら係数ａ２、ｂ２は実規模試験から、がいし連カテナリ角αと水平角θの変化に対応する関係があることが分かった。その関係を、以下の表１の補正係数用テーブルに示す。ちなみに、実規模試験とは、実際の架線状態を模擬し、成形、採寸を行った試験のことである。
【表１】
2005237116.tif 000031
【００６４】
この補正係数用テーブルはまず、水平角θが１０度よりも大きく且つがいし連カテナリ角αが２０度よりも小さいという第一条件に合致する場合には各補正係数に０．９，０．１を抽出する。第一条件に合致しないときには水平角θに関係なく、がいし連カテナリ角αのみに着目する。そして、がいし連カテナリ角αが２５度未満という第二条件に合致する場合には、第二条件の中でがいし連カテナリ角αに応じて定められた各補正係数を抽出する。一方、第一、第二条件に合致しない場合、即ち、がいし連カテナリ角αが２５度以上という第三条件に合致する場合には、現在計算している方の分割ジャンパとは反対側の分割ジャンパのがいし連カテナリ角αに着目する。そして、反対側のがいし連カテナリ角αに応じて定められた各補正係数を抽出する。
【００６５】
施工地のがいし連カテナリ角αと水平角θに一致する小楕円Ｄ２の半長径用・半短径用補正係数ａ２，ｂ２を補正係数用テーブルから上述した要領で選択する。そして、施工条件を反映させる前の標準の模擬曲線の形を表す上記座標式（１）、（２）の係数に、基準楕円Ｄ１の半長径ａ１・半短径ｂ１、及び小楕円Ｄ２の半長径用・半短径用補正係数ａ２，ｂ２を代入すると、施工条件を反映させた模擬曲線の座標式が完成する。
【００６６】
そして、下記の積分式（２１）を利用して、その模擬曲線の座標式を角度０度から９０度の範囲で微小区間に区切って積分することによって、分割ジャンパの長さを求める。
【数２９】
2005237116.tif 000032
ここではサイン曲線を１度ごとの微小区間で区画して算出する。
【００６７】
従って、上述した思想に基づく、分割ジャンパの長さを算出するステップＳ４．５では、分割ジャンパの長さ算出手段３３が機能して（図５参照）、まず、若側の外側天線用の分割ジャンパの長さを求めるために、予め記憶装置２０に保存された施工条件を反映させる前の分割ジャンパの標準の模擬曲線を表す上記座標式（１）、（２）を読み込み、その座標式の係数ａ１、係数ｂ１に、ジャンパソケット出口座標とジャンパ最下点のｚ座標データに基づいて定まる基準楕円Ｄ１の半長径ａ１及び半短径ｂ１を代入する。続いて、がいし連カテナリ角αと水平角θの二条件に一致する小楕円Ｄ２の長軸用・短軸用補正係数ａ２，ｂ２を、予め記憶装置２０に保存された補正係数用テーブルから検索して一致するものを抽出し、その抽出結果を座標式の係数ａ２、係数ｂ２に代入して施工条件を反映させる。そして、施工条件を反映させた座標式を、上記積分式（２１）の変数に代入し、その積分式を解いて、分割ジャンパの長さを算出し、その算出結果を記憶装置２０に保存する。
【００６８】
次に、若側の内側天線用分割ジャンパの長さ、若側の外側・内側地線用分割ジャンパの長さ、老側の外側・内側天線用分割ジャンパの長さ、老側の外側・内側地線用分割ジャンパの長さを同じ要領で算出し、その算出結果を記憶装置２０に保存する。そして、分割ジャンパの長さを算出するステップＳ４．５が終了すると、図２１に示すように各部の長さを合計するステップＳ４．６が実行される。
【００６９】
各部の長さを合計するステップＳ４．６では、各部の長さ合計手段３４が機能して（図５参照）、まず、若側と老側の外側天線用の分割ジャンパの長さと、ジャンパ両端部のジャンパソケットへの挿入分の長さを、記憶装置２０から読み込んで、その合計値を算出し、その算出結果を記憶装置２０に保存する。ここで、ジャンパソケットへの挿入分の長さは、図１１中の、ジャンパソケット挿入寸法に対応する。また、同様にして、内側天線用、外側地線用、内側地線用のジャンパ実長を算出し、保存する。
【００７０】
各部の長さを合計するステップＳ４．６が終了すると、ジャンパの実長を出力するステップＳ５が実行され、ジャンパの実長の出力手段２４が機能して（図５参照）、図１９に示すように、ジャンパの実長を表示装置１７に出力すると共に、同一フレーム中には、ジャンパとアーム側との絶縁距離を算出した結果が表示され、その絶縁距離が電線の電圧階級に応じた規定距離だけ離れているか否かを確認できるようになっている。絶縁距離が規定距離よりも短い場合や、規定距離よりもかなり長い場合には、ジャンパ深さを変更した値を入力し直して、再度、ジャンパ実長を算出し、絶縁距離を確認する。
【００７１】
上述した例は、第二ステップＳ２で支持なしジャンパ装置を選択した場合であるが、Ｖ吊支持ジャンパ装置を選択した場合は、以下の処理が実行される。つまり、図１０のがいし条件入力フォーム２８で、ジャンパ支持の文字表示横のプルダウンメニューから、Ｖ吊支持ジャンパ装置を選択して、「次へ」のボタンをクリックした場合は、入力されたデータが記憶装置２０に保存されると共に、図２５に示すようにＶ吊支持ジャンパ装置条件入力フォーム４７が表示装置１７に表示される。
【００７２】
Ｖ吊支持ジャンパ装置条件入力フォーム４７は、吊架点〜天線クランプ、天線クランプ〜地線クランプ、外線クランプ〜内線クランプ、クランプ装置幅、天線〜地線の間隔、クランプ点からのジャンパ弛み量、ジャンパソケット挿入寸法（共通）の各文字表示と、その文字表示左側の丸数字、及び文字表示付近の数値入力欄を設けてある。また、文字表示の下には、簡易図でＶ吊支持装置３７が示してあると共に、その簡易図中に寸法箇所を表す丸数字が記載してある。従って、利用者は製品仕様に基づいて数値入力欄に数値を入力する際に簡易図を参照できるので、入力間違えが減る。そして、数値入力欄に数値を利用者が入力して、「次へ」のボタンをクリックすると、図２６に示すように、第五ステップＳ５では入力されたデータが記憶装置２０に保存されると共に、Ｖ吊支持用ジャンパ実長を算出する第六ステップＳ６が実行され、その計算過程で求めた値を記憶装置２０に保存しながら、ジャンパ実長が求められる。
【００７３】
第六ステップＳ６のプログラムは以下の思想に基づいて作成されている。ジャンパを、２つのジャンパソケット１５への挿入分と、Ｖ吊支持装置３７のクランプ装置４０幅分と、若側のジャンパソケット１５とＶ吊支持装置３７のクランプ装置４０の間を繋ぐ分と、老側のジャンパソケット１５とＶ吊支持装置３７のクランプ装置４０の間を繋ぐ分とに計算上、分け、さらに、各々の繋ぐ分については、ジャンパ弛度最下点を境にして電線側とＶ吊支持装置側にジャンパを二分する（図２２参照）。そして、各挿入分の長さや、クランプ装置４０幅については、ジャンパソケット１５及びＶ吊支持装置３７のクランプ装置４０の各製品仕様から把握する。製品仕様からは長さを把握できないもの、即ち、ジャンパ弛度最下点を境にして電線側とＶ吊支持装置側の分割ジャンパの長さについては、施工条件データを利用して別々に近似的に求める。近似的に求める仕方は、若側と老側のジャンパソケット１５出口座標及びクランプ装置４０のクランプ位置等をそれぞれ求め、これら求めた値に基づいて電線側及びＶ吊支持装置側の分割ジャンパ曲線の近似式を求め、その近似式に基づいて長さを求める仕方である。その求めた値に、各挿入分の長さとクランプ装置４０幅の長さを加算することで、ジャンパ実長が求まる。
【００７４】
第六ステップＳ６では図２６に示すように、前述した第四ステップＳ４と同様の手順で、ジャンパの施工時張力を算出するステップＳ６．１、がいし連カテナリ角を算出するステップＳ６．２、電線カテナリ角を算出するステップＳ６．３、ジャンパソケット出口の座標を算出するステップＳ６．４が順番に実行され、その次に、Ｖ吊装置クランプ点座標算出手段４８が機能して（図２７参照）、クランプ点の座標を算出するステップＳ６．５を実行する。
【００７５】
ここでは、まず、外側天線用のジャンパに対応する、クランプ装置幅の両側のクランプ点のうち、若側のクランプ点の座標を求める。Ｖ吊装置クランプ点座標算出手段４８が機能して、クランプ装置幅の寸法を記憶装置２０から読み込んで、その寸法を半分に割り算し、その値に−を付加した値をクランプ点のＸ座標として記憶装置２０に保存する。次に、天線クランプ〜内線クランプの寸法を記憶装置２０から読み込んで、その寸法を半分に割り算し、その値に−を付加した値をクランプ点のＹ座標として記憶装置２０に保存する。続いて、吊架点〜天線クランプの寸法を記憶装置２０から読み込んで、その寸法に−を付加した値をクランプ点のＺ座標として記憶装置２０に保存する。同様の要領で、外側天線用のジャンパに対応する、クランプ装置幅の両側のクランプ点のうち、老側のクランプ点を求める。また、同様の要領で、他のクランプ点の座標を求める。そして、クランプ装置のクランプ点の座標を算出するステップＳ６．５が終了すると、電線側分割ジャンパの長さを算出するステップＳ６．６が実行される。
【００７６】
電線側分割ジャンパの長さを算出するステップＳ６．６は以下の思想で作られている。ジャンパソケット１５とＶ吊支持装置３７のクランプ装置４０の間を繋ぐ分について図２２を見ると、ジャンパ弛度最下点を境にして電線側とＶ吊支持装置側について、ジャンパの曲線の形が異なることが分かる。従って、ジャンパ弛度最下点を境に電線側とＶ吊支持装置側に二分し、それら分割ジャンパの長さを別々に求めれば良い。そして、電線側は後述するサイン曲線の形に近似し、Ｖ吊支持装置側は一般楕円曲線の形に似ていると、本発明者は判断した。
【００７７】
電線側の分割ジャンパは、サイン曲線の形に近似していることから、支持なしジャンパ装置の説明での分割ジャンパの長さを求める際に用いたサイン曲線と基本的に同じ考えで、電線側の分割ジャンパの長さを求める。但し、ジャンパ弛度最下点をどのような考えで推定するかや、施工条件を反映させる前の標準の模擬曲線（サイン曲線）の座標式における半長径用補正係数ａ２、半短径用補正係数ｂ２が実規模試験の結果から一定値に定まっている点で、異なっている。
【００７８】
電線側の分割ジャンパの長さは次の要領で求める。図２２に示すように、若側地線の電線側分割ジャンパのジャンパソケット出口のｚ座標とクランプ装置のクランプ点のｚ座標との差分を垂直成分ｂとして求め、同じ若側地線のクランプ装置のクランプ点から電線側分割ジャンパのジャンパソケット出口をｘ、ｙ座標上で結んだ線分の長さを水平成分ａとして求める。また、地線用ジャンパソケット出口と天線用ジャンパソケット出口との差分をソケット出口天線地線距離JpDDとして求める。天線ジャンパソケット出口座標gJt'、地線ジャンパソケット出口座標gJt、クランプ装置の地線用クランプ点座標gSg、ジャンパ弛み量JpT、ジャンパ線天線地線距離JpDとし、具体的には以下の３式（２２）、（２３）、（２４）で得られる。
【数３０】
2005237116.tif 000033
【数３１】
2005237116.tif 000034
【数３２】
2005237116.tif 000035
【００７９】
また、同じ若側で地線用の電線側分割ジャンパのジャンパソケット出口からジャンパ弛度最下点座標をｘ、ｙ座標上で結んだ線分の長さを楕円長軸の半長径a1Lとして求めるために、楕円長軸の半長径a1Lを算出する以下の推定式（２５）の変数に、垂直成分ｂと水平成分ａとジャンパ弛み量JpTを代入して解き、楕円長軸の半長径a1Lを得る。
【数３３】
2005237116.tif 000036
【００８０】
また、垂直成分ｂとジャンパ弛み量JpTの合計値を楕円短軸の半短径b1Lとして求める。以下の式（２６）で表される。
【数３４】
2005237116.tif 000037
【００８１】
同様に若側で天線用の電線側分割ジャンパのジャンパソケット出口からジャンパ弛度最下点座標をｘ、ｙ座標上で結んだ線分の長さを楕円長軸の半長径a1Ｈとして求めるために、楕円長軸の半長径a1Ｈを算出する以下の推定式（２７）の変数に、垂直成分ｂと水平成分ａとジャンパ弛み量JpTとジャンパ線天線地線距離JpDを代入して解き、楕円長軸の半長径a1Lを得る。
【数３５】
2005237116.tif 000038
【００８２】
また、垂直成分ｂとジャンパ弛み量JpTとジャンパソケット出口天線地線距離JpDDの合計値からジャンパ線天線地線距離JpDを引いた値を楕円短軸の半短径b1Hとして求める。以下の式（２８）で表される。
【数３６】
2005237116.tif 000039
上述した各推定式は、実規模試験の重回帰分析より得られた数式である。
【００８３】
この半長径ａ１と半短径ｂ１とからなる１／４の基準楕円よりも、電線側の分割ジャンパは小さい。基準楕円に対して半長径が半長径用補正係数ａ２、半短径が半短径用補正係数ｂ２だけそれぞれ小さい小楕円を想定し、小楕円よりも電線側の分割ジャンパが大きい。そして、その小楕円に接し且つジャンパ最下点の座標とジャンパソケット出口の座標を端点とするサイン曲線を想定し、そのサイン曲線が電線側の分割ジャンパに近似する模擬曲線であるとする。その模擬曲線の形を表す座標式（１）（２）は以下の通りである。ただし、半長径はa1H、a1Lはa1とおき、半短径はb1H、b1Lはb1とおいて下記座標式に代入する.
【数３７】
2005237116.tif 000040
【数３８】
2005237116.tif 000041
【００８４】
ここで注意すべき点としては、小楕円の半長径用・半短径用補正係数は、がいし連カテナリ角と水平角の変化とは無関係で、常に一定値である点である。この一定値は、実規模試験から得られた値で、ここでは、半長径用・半短径用補正係数ａ２、ｂ２は１．５、０．２である。従って、施工条件を反映させる前の標準の模擬曲線の形を表す二次元の座標式（３）、（４）は、次の通りになる。
【数３９】
2005237116.tif 000042
【数４０】
2005237116.tif 000043
【００８５】
そして、施工条件を反映させる前の標準の模擬曲線の形を表す二次元の上記座標式（３）、（４）の係数に、基準楕円の半長径・半短径を代入して施工条件を反映させた模擬座標式を求める。
【００８６】
そして、下記の積分式（２１）を利用して、その模擬曲線の座標式を角度０度から９０度の範囲で微小区間に区切って積分することによって、電線側分割ジャンパの長さを求める。
【数４１】
2005237116.tif 000044
ここではサイン曲線を１度ごとの微小区間で区画して算出する。
【００８７】
従って、上述した思想に基づく、電線側分割ジャンパの長さを算出するステップＳ６．６では、電線側分割ジャンパの長さ算出手段４９が機能して（図２７参照）、まず、若側の外側地線用の電線側分割ジャンパの長さを求めるために、下記の３式（２２）（２３）（２４）を記憶装置２０から読み込み、
【数４２】
2005237116.tif 000045
【数４３】
2005237116.tif 000046
【数４４】
2005237116.tif 000047
続いて、上記式の変数であるＶ吊支持装置用クランプ装置のクランプ点gSgのｘ、ｚ座標、地線用ジャンパソケット出口gJtのｘ、ｙ、ｚ座標、天線用ジャンパソケット出口座標gJt'のｚ座標を記憶装置２０から読み込み、上記式の変数として代入して解いて、水平成分ａ、垂直成分ｂ、ジャンパソケット出口天線地線距離JpDDを求め、その値を記憶装置２０に保存する。
【００８８】
次に、ジャンパ弛度最下点からジャンパソケット出口までの水平距離及び垂直距離を求めるために下記２式（２５）（２６）を記憶装置２０から読み込み、
【数４５】
2005237116.tif 000048
【数４６】
2005237116.tif 000049
さらに、上記式の変数である水平成分ａ、垂直成分ｂ、ジャンパ弛み量JpTを記憶装置２０から読み込み、上記式に代入して解き、基準楕円Ｄ１の半長径a1L及び半短径b1Lを求める。そして、その半長径a1L及び半短径b1Lを記憶装置２０に保存する。続いて、半長径a1Lをa1に、半短径b1Lをb1と置換し、電線側分割ジャンパの標準の模擬曲線の形を表す下記座標式（３）（４）を記憶装置２０から読み込んで、半長径ａ１及び半短径ｂ１を代入して施工条件を反映させる。
【数４７】
2005237116.tif 000050
【数４８】
2005237116.tif 000051
【００８９】
そして、記憶装置２０に保存してある下記の積分式（２１）に、施工条件を反映させた上記座標式を代入し、その積分式を解いて、電線側分割ジャンパの長さを算出し、その算出結果を記憶装置２０に保存する。
【数４９】
2005237116.tif 000052
続いて、同様にして、若側の内側地線用の電線側分割ジャンパの長さを求め、その算出結果を記憶装置２０に保存する。続いて、若側の外側天線用の電線側分割ジャンパの長さを求めるために、まず、ジャンパ弛度最下点からジャンパソケット出口までの水平距離及び垂直距離を求めるために下記２式（２７）（２８）を記憶装置２０から読み込み、
【数５０】
2005237116.tif 000053
【数５１】
2005237116.tif 000054
さらに、上記式の変数である水平成分ａ、垂直成分ｂ、ジャンパ弛み量JpT、ジャンパ線天線地線距離JpD、ジャンパソケット出口天線地線距離JpDDを記憶装置２０から読み込み、上記式に代入して解き、基準楕円Ｄ１の半長径a1Ｈ及び半短径b1Ｈを求める。そして、その半長径a1Ｈ及び半短径b1Ｈを記憶装置２０に保存する。続いて、半長径a1Ｈをa1に、半短径b1Ｈをb1と置換し、電線側分割ジャンパの標準の模擬曲線の形を表す下記座標式（３）（４）を記憶装置２０から読み込んで、半長径ａ１及び半短径ｂ１を代入して施工条件を反映させる。
【数５２】
2005237116.tif 000055
【数５３】
2005237116.tif 000056
以後は、前述した地線用の電線側分割ジャンパの長さの求め方と同様にして若側の外側天線用の電線側分割ジャンパの長さを求め、その算出結果を記憶装置２０に保存する。その後は、若側の内側天線用の電線側分割ジャンパの長さを同様に求め、老側についても同様に求め、その算出結果を記憶装置に保存する。このようにして電線側分割ジャンパの長さ算出ステップＳ６．６が終了すると、続いて、Ｖ吊支持装置側分割ジャンパの長さ算出ステップＳ６．７に移行する。
【００９０】
Ｖ吊支持装置側分割ジャンパの長さは、以下の思想に基づいて求められる。Ｖ吊支持装置側の分割ジャンパの長さは、一般的な楕円近似で求める。つまり、一方の電線側の分割ジャンパの長さを得る際に求めた水平成分ａと楕円長軸の半長径ａ１との差分を、Ｖ吊支持装置側の楕円長軸の半長径ａ１’とし、ジャンパ弛み量JpTをＶ吊支持装置側の楕円短軸の半短径ｂ１’とし、これら半長径ａ１’と半短径ｂ１’とからなる楕円曲線がＶ吊支持装置側分割ジャンパの曲線であるとする。そして、施工条件を反映させる前の楕円曲線の形を表す下記式（５）（６）からなる二次元の座標式の係数に、Ｖ吊支持装置側の楕円長軸の半長径ａ１’と半短径ｂ１’を代入して、施工条件を反映させたＶ吊側用模擬座標式を求める。
【数５４】
2005237116.tif 000057
【数５５】
2005237116.tif 000058
【００９１】
そして、下記の積分式（２１）を利用して、その模擬曲線の座標式を角度０度から９０度の範囲で微小区間に区切って積分することによって、Ｖ吊側分割ジャンパの長さを求める。
【数５６】
2005237116.tif 000059
ここではサイン曲線を１度ごとの微小区間で区画して算出する。
【００９２】
上述した思想に基づく、Ｖ吊支持装置側分割ジャンパの長さ算出ステップＳ６．７は、Ｖ吊支持装置側分割ジャンパの長さ算出手段５０が機能して（図２７参照）、まず、若側の外側天線用のＶ吊支持装置側分割ジャンパの長さを求めるために、電線側分割ジャンパで得られた水平成分ａと楕円長軸の半長径ａ１を記憶装置２０から読み込み、その差分を算出して、Ｖ吊支持装置側の楕円長軸の半長径ａ１’とする。また、ジャンパ弛み量JpTを楕円短軸の半短径ｂ１’として記憶装置２０から読み込むと共に、施工条件を反映させる前の楕円曲線の形を表す下記式（５）（６）からなる二次元の座標式を記憶装置２０から読み込み、その係数に楕円長軸の半長径ａ１’と半短径ｂ１’を代入して、施工条件を反映させたＶ吊側用模擬座標式を求める。
【数５７】
2005237116.tif 000060
【数５８】
2005237116.tif 000061
【００９３】
そして、記憶装置２０に保存してある下記の積分式（２１）に、施工条件を反映させた座標式を代入し、その積分式を解いて、Ｖ吊支持装置側分割ジャンパの長さを算出し、その算出結果を記憶装置２０に保存する。
【数５９】
2005237116.tif 000062
続いて、同様にして、若側の内側天線用のＶ吊支持装置側分割ジャンパ、若側の外側・内側地線用のＶ吊支持装置側分割ジャンパの長さを求め、老側についても同様に求める。Ｖ吊支持装置側分割ジャンパの長さ算出ステップｓ６．７が終了すると、続いて、図２６に示すように各部の長さを合計するステップＳ６．８が実行される。
【００９４】
各部の長さを合計するステップＳ６．８では、各部の長さ合計手段５１が機能して（図２７参照）、まず、若側と老側の外側天線用の電線側分割ジャンパの長さと、Ｖ吊支持装置側分割ジャンパの長さと、ジャンパ両端部のジャンパソケットへの挿入分の長さと、クランプ装置幅を、記憶装置２０から読み込んで、その合計値を算出し、その算出結果を記憶装置２０に保存する。また、同様にして、内側天線用、外側地線用、内側地線用のジャンパ実長を算出し、保存する。
【００９５】
各部の長さを合計するステップＳ６．８が終了すると、ジャンパの実長を出力するステップＳ７が実行され、ジャンパの実長の出力手段２４が機能して（図２７参照）、ジャンパの実長を表示装置１７に出力する。
【００９６】
上述のプログラムは、ジャンパ用の電線購入の発注段階でメーカーに必要長さ箇所をジャンパ用の電線にマーキングさせるために用いることもできる。そして、ジャンパを実際の取り付ける施工時においては、上述したプログラムを実行して、同じ手順で入力フォームに数値を入力していき、気象条件入力フォームの計算温度に、実際の施工温度を入力することによって、温度変化による伸縮具合を考慮して、必要なジャンパの実長を把握できる。
【００９７】
また、ジャンパの実長をさらに高精度に求めるには、別途、図２０に示すように現地補正条件入力フォーム３５を表示装置１７に出力し、その入力フォームに利用者が入力したことを受けて、ジャンパの実長を再計算し、その計算結果を表示装置１７に出力するステップを、上述したプログラムに関連づけて設けることが望ましい。例えば、前述した要領でジャンパ実長を求めた後にプログラムを一旦、終了させると、次回、本プログラムを実行させると、現地補正条件入力フォーム３５が表示装置１７に出力されるようにする。現地補正条件入力フォーム３５は、施工時の気温、若側・老側バーニヤ調整量、天線・地線の外、内、の各文字表示と、その文字表示付近の数値入力欄が設けてある。このバーニヤ調整量とは、電線３をがいし装置５を介してアーム１に取り付ける際には、電線３の張り具合を最適な条件とするために、がいし装置５のバーニヤ金具１０を基準となる長さから伸縮させた量（長さ）のことである。そして、数値入力欄に利用者が数値を入力し、入力フォーム内の「再計算」ボタンをクリックすると、ジャンパ実長計算手段２３中のジャンパソケット出口座標算出手段３２が機能して（図５参照）、前回求めたジャンパソケット出口座標を記憶装置２０から読み込み、そのジャンパソケット出口座標にバーニヤ調整量を加算して、再度、ジャンパソケット出口座標を算出し、以後、同様にして、ジャンパ実長を算出し、その算出結果を表示装置１７に出力する。
【００９８】
本発明は上記実施形態に限定されない。例えば、上述した各種の入力フォームは、必ずしも独立したものでなくても良い。つまり、複数の入力フォームが一つにまとまって、入力フォームの個数を減少させたものでも良いし、逆に増加させたものでも良いし、各入力フォーム中の文字表示及びその文字表示用の数値入力欄が、別の入力フォーム中に設けてあっても良い。
【図面の簡単な説明】
【００９９】
【図１】本発明の支持なしジャンパ装置の概略図である。
【図２】（イ）図、（ロ）図は支持なしジャンパ装置のクランプを示す正面図、右側面図である。
【図３】（イ）図、（ロ）図はがいし装置を示す平面図、正面図である。
【図４】コンピュータのハードを示す概略図である。
【図５】支持なしジャンパ装置用の構成を示すブロック図である。
【図６】本プログラムの前段階を示すフローチャートである。
【図７】線路条件入力フォームを示す図である。
【図８】電線条件入力フォームを示す図である。
【図９】気象条件入力フォームを示す図である。
【図１０】がいし装置条件入力フォームを示す図である。
【図１１】支持なしジャンパ装置条件入力フォームを示す図である。
【図１２】施工時張力の算出仕方を示すフローチャートである。
【図１３】老側の支持なしジャンパ装置を示す簡易図である。
【図１４】電線の曲線の形を表す簡易図である。
【図１５】支持なしジャンパ装置の簡易正面図である。
【図１６】支持なしジャンパ装置の簡易平面図である。
【図１７】分割ジャンパを説明する図である。
【図１８】分割ジャンパの曲線と角度との関係を説明する図である。
【図１９】算出結果を示す出力画面である。
【図２０】現地補正条件入力フォームを示す図である。
【図２１】支持なしジャンパ装置用の処理の後半部分を示すフローチャートである。
【図２２】（イ）図、（ロ）図は、Ｖ吊支持ジャンパ装置によるジャンパの支持を示す側面図、正面図である。
【図２３】Ｖ吊り支持装置を示す側面図である。
【図２４】（イ）図、（ロ）図は、クランプ装置を示す正面図、側面図である。
【図２５】Ｖ吊り支持ジャンパ装置条件入力フォームを示す図である。
【図２６】Ｖ吊り支持ジャンパ装置用プログラムの処理の後半部分を示すフローチャートである。
【図２７】Ｖ吊り支持ジャンパ装置用の構成を示すブロック図である。
【符号の説明】
【０１００】
１  アーム
２  支持なしジャンパ装置
３  電線
４  ジャンパ
５  がいし装置
１５  ジャンパソケット
１６  入力装置
１７  表示装置
２０  記憶装置
２５  線路条件入力フォーム
２６  電線条件入力フォーム
２７  気象条件入力フォーム
２８  がいし装置条件入力フォーム
２９  支持なしジャンパ装置条件入力フォーム
３６  Ｖ吊支持ジャンパ装置
３７  Ｖ吊支持装置
４７  Ｖ吊支持ジャンパ装置条件入力フォーム
【図１】
2005237116.tif 000069
【図２】
2005237116.tif 000070
【図３】
2005237116.tif 000071
【図４】
2005237116.tif 000072
【図５】
2005237116.tif 000073
【図６】
2005237116.tif 000074
【図７】
2005237116.tif 000075
【図８】
2005237116.tif 000076
【図９】
2005237116.tif 000077
【図１０】
2005237116.tif 000078
【図１１】
2005237116.tif 000079
【図１２】
2005237116.tif 000080
【図１３】
2005237116.tif 000081
【図１４】
2005237116.tif 000082
【図１５】
2005237116.tif 000083
【図１６】
2005237116.tif 000084
【図１７】
2005237116.tif 000085
【図１８】
2005237116.tif 000086
【図１９】
2005237116.tif 000087
【図２０】
2005237116.tif 000088
【図２１】
2005237116.tif 000089
【図２２】
2005237116.tif 000090
【図２３】
2005237116.tif 000091
【図２４】
2005237116.tif 000092
【図２５】
2005237116.tif 000093
【図２６】
2005237116.tif 000094
【図２７】
2005237116.tif 000095